(57)【要約】【課題】摺動部材に対して筆記体が揺動できるように、硬い樹脂で成形した筆記体の軸部材に対して摺動部材を簡単に嵌着させることができ、且つ外れ難い筆記体と摺動部材との連結構造を得る。【解決手段】摺動部材１１の前方部に軸部材１０ａの内径Ｄ２より細い延出部１１ｆを形成し、延出部１１ｆの両側面に、軸心に沿った方向と軸心に向かう方向とに直交する方向へ突出させた突起部１１ｇを形成すると共に、突起部１１ｇの軸心に沿った方向に分割金型によるパーティションラインでエッジ部１１ｋを構成した段部１１ｊを形成する。【選択図】図６
2014028470.tif 000002
【特許請求の範囲】
【請求項１】
樹脂材からなる筒状の軸部材を後方に有した筆記体を、前方の先窄み部に先端開口部を有した軸筒内へ収容し、軸部の後方に連結された射出成形により形成した樹脂製の摺動部材を前後動させることにより、筆記体の筆記先端を軸筒の先端開口部から出没させる繰出式多芯筆記具における筆記体と摺動部材との連結構造であって、摺動部材を分割金型により射出成形し、且つ摺動部材の前方部に軸部材の内径より細い延出部を形成し、延出部の両側面に、軸心に沿った方向と軸心に向かう方向とに直交する方向へ突出させた突起部を形成すると共に、突起部の軸心に沿った方向に分割金型によるパーティションラインでエッジ部を構成した段部を形成することにより、摺動部材の延出部を軸部材に挿通させた際に、摺動部材の突起部に形成したエッジ部を軸部材の内面に食い込ませ、且つ突起部の段部を基点に軸部材が摺動部材に対して揺動可能となるよう連接させたことを特徴とする筆記体と摺動部材との連結構造。
【請求項２】
摺動部材の段部が延出部の軸心に向かう方向における巾の中心に位置することを特徴とする請求項１に記載の筆記体と摺動部材との連結構造。
【発明の詳細な説明】
【技術分野】
【０００１】
本発明は、樹脂製の軸部材を有した筆記体を、前方の先窄み部に先端開口部を有した軸筒内へ収容し、前記軸部の後端に連結した摺動部材を前後動させることにより、筆記体の筆記先端を軸筒の先端開口部から出没させる繰出式多芯筆記具における筆記体と摺動部材との連結構造に関する。
【背景技術】
【０００２】
従来より、筆記具の軸筒内に複数の筆記体を収容し、特許文献１に記載されているように、軸筒の側面より突出させた摺動部材の膨出部を直接前後動させたり、特許文献２に記載されているように、後軸を前軸に対して回転させ、軸筒内の回転カムを回動して摺動部材を前後動させることにより、筆記体の筆記先端が軸筒の先端開口部より出没する構造の繰出式多芯筆記具はよく知られている。
【０００３】
このような繰出式多芯筆記具では、複数の筆記体に対応する複数の摺動部材が軸筒の中心に対して放射状に配列されており、筆記先端が突出する先端開口部が軸筒の中心に位置していることから、筆記体の筆記先端を軸筒の先端開口部から突出させる際には、軸部材の中間部を撓ませるようにするか、摺動部材に対して軸部材を傾斜させる構造にする必要がある。特に筆記体がシャープペンシル体である場合には、軸部材の内部に収容してある芯が折れないようにするために、摺動部材に対して軸部材が全体的に傾斜する構造が必要となる。この場合の筆記体の軸部材と摺動部材との連結構造は、軸部材が金属パイプで形成されているものでは、金属パイプの側方から軸部材に挿通させた摺動部材の先端部をカシメて、カシメ部を基点に筆記体が摺動部材に対して揺動可能となるよう連接させた構造が広く採用されている。また、軸部材が樹脂パイプで形成されているものでは、摺動部材の先端部に側方へ突出する突起部を形成し、軸部材の内面に突起部を嵌着させて、突起部を基点に筆記体が摺動部材に対して揺動可能となるよう連接させた構造が広く採用されている。
【０００４】
ところで、金属パイプで軸部材を構成したものでは、材料費やカシメ加工費などのコスト面において、樹脂パイプで軸パイプを構成したものに比べて劣り、また樹脂パイプで軸部材を構成したものでは、軸部材の曲げ方向に対する強度面で金属パイプより劣ることになる。そこで軸部材を、高剛性ポリプロピレンのように硬く曲がりにくい樹脂材で形成することが求められたが、前記のように硬い樹脂に対して、一般的な樹脂で成形した摺動部材の先端部に形成した突起部を嵌着させる場合、軸部材の内面に対して摺動部材の突起部が十分な嵌着力で連結されずに、摺動部材から軸部材が外れ易くなるといった問題が生じてしまった。
【先行技術文献】
【特許文献】
【０００５】
【特許文献１】特開２００７−３８６３５号公報
【特許文献２】特開２００２−１４４７８４号公報
【発明の概要】
【発明が解決しようとする課題】
【０００６】
本発明では、摺動部材に対して筆記体が揺動できるように、硬い樹脂で成形した筆記体の軸部材に対して摺動部材を簡単に嵌着させることができ、且つ外れ難い筆記体と摺動部材との連結構造を得る。
【課題を解決するための手段】
【０００７】
本発明は、
「１．樹脂材からなる筒状の軸部材を後方に有した筆記体を、前方の先窄み部に先端開口部を有した軸筒内へ収容し、軸部の後方に連結された射出成形により形成した樹脂製の摺動部材を前後動させることにより、筆記体の筆記先端を軸筒の先端開口部から出没させる繰出式多芯筆記具における筆記体と摺動部材との連結構造であって、摺動部材を分割金型により射出成形し、且つ摺動部材の前方部に軸部材の内径より細い延出部を形成し、延出部の両側面に、軸心に沿った方向と軸心に向かう方向とに直交する方向へ突出させた突起部を形成すると共に、突起部の軸心に沿った方向に分割金型によるパーティションラインでエッジ部を構成した段部を形成することにより、摺動部材の延出部を軸部材に挿通させた際に、摺動部材の突起部に形成したエッジ部を軸部材の内面に食い込ませ、且つ突起部の段部を基点に軸部材が摺動部材に対して揺動可能となるよう連接させたことを特徴とする筆記体と摺動部材との連結構造。
２．摺動部材の段部が延出部の軸心に向かう方向における巾の中心に位置することを特徴とする１項に記載の筆記体と摺動部材との連結構造。」である。
【０００８】
本発明における摺動部材に形成する突起部は、例えば筆記具が繰出式多芯筆記具である場合には、摺動部材に形成した軸筒の側面から突出する膨出部を正面視したときに、摺動部材の前方に形成した延出部の両側へ突出した状態となり、軸部材の内面に当接している突起部を基点に、軸部材と摺動部材とが軸筒の軸径方向に揺動できる構造とする。また、軸部材を形成する樹脂材は、高剛性ポリプロピレンのように曲げ弾性率が２２００ＭＰａ以上である硬い樹脂で筒状に成形することにより、摺動部材が前進して筆記体の筆記先端が軸筒の先端開口部から突出する際においても、軸部材が撓み難くなり、筆記体がシャープペンシル体であった場合には、軸部材内に収容した芯が折れ難い構造となる。
【０００９】
尚、本発明では、突起部の軸心に沿った方向に分割金型によるパーティションラインでエッジ部を構成した段部を形成するので、加工上の丸みが生じてしまう内面を削って形成する金型とは異なりその角を鋭く形成することができ、鋭くエッジが形成された段部によって突起部を硬い樹脂からなる軸部材の内面に対しても食い込ますことができ、筆記体と摺動部材とを外れ難くさせることができる。また、摺動部材の段部を、延出部の軸心に向かう方向における巾の中心に位置させることにより、軸部材の内面に当接して揺動の基点となる突起部の段部が、軸部材の内部において中心に位置するので、軸部材と摺動部材とを軸筒の軸径方向に対して巾広く揺動させることができるものとなる。
【発明の効果】
【００１０】
本発明は前述した構造なので、摺動部材に対して筆記体が揺動できるように、硬い樹脂で成形した筆記体の軸部材に対して摺動部材を簡単に嵌着させることができ、且つ外れ難い筆記体と摺動部材との連結構造を得ることができた。
【図面の簡単な説明】
【００１１】
【図１】本実施例の繰出式多芯筆記具であり、シャープペンシル体とボールペン体とを取り外した状態の斜視図である。
【図２】本実施例の繰出式多芯筆記具の断面図である。
【図３】ボールペン体を操作した状態の断面図である。
【図４】シャープペンシル体を操作した状態の斜視図である。
【図５】シャープペンシル体を操作した状態の断面図である。
【図６】シャープペンシル体の軸部材と摺動部材とを分解した状態を示す要部姿図である。
【図７】図６の軸部材と摺動部材とを連結させた状態を示す要部姿図である。
【図８】図７のＡ−Ａ線断面図である。
【図９】摺動部材に対して軸部材を揺動させた状態を示す図である。
【図１０】軸筒に筆記体を装着する状態を示す図である。
【図１１】シャープペンシル体に芯を補充する状態を示す図である。
【図１２】摺動部材を射出成形している状態を示す要部断面図である。
【発明を実施するための形態】
【００１２】
以下、図面を参照して本発明を採用した繰出式多芯筆記具の実施例について説明を行う。尚、図面中の同じ部材、同じ部品については同じ番号を付してある。また、本実施例の説明においては図面の下方を前方と表現し反対側を後方と表現し、軸部材および摺動部材の傾斜方向ならびに前後方向に直交する方向を側方と表現する。
【実施例】
【００１３】
図１，図２に示すように繰出式多芯筆記具１は、前軸２の雌螺子部２ａと後軸３の雄螺子部３ａとを螺合して構成した軸筒４の後方に、軸芯に沿った方向に開口した３つの切欠窓３ｂ、３ｃ、３ｄを形成してあり、軸筒４内に収容されるシャープペンシル体１０，ボールペン体２０，ボールペン体３０の後方部に連結して一体とした摺動部材１１，２１，３１を、前記切欠窓３ｂ，３ｃ，３ｄへ摺動可能に配設する構造である。尚、図２では、前記シャープペンシル体１０と、ボールペン体２０とを見せた断面としてあり、ボールペン体３０は省略した図としてある。
【００１４】
シャープペンシル体１０は、
曲げ弾性率が２３００ＭＰａである高剛性ポリプロピレン（日本ポリプロ社製ノバテックＥＡ９ＦＴ）からなる軸部材１０ａを、後軸３内のコイルスプリング５ａおよび後軸４内に装着した隔壁部材６の底面６１に形成した貫通孔６ａに挿通させて配設してある。また、ボールペン体２０は、一般的な曲げ弾性率が１８００ＭＰａであるポリプロピレンからなる軸部材２０ａを、後軸３内のコイルスプリング５ｂおよび後軸３内に装着した隔壁部材６の底面６１に形成した貫通孔６ｂに挿通させて配設してある。本実施例では、コイルスプリング５ａ，５ｂを、隔壁部材６の底面６１および摺動部材１１，２１の支持部１１ａ，２１ａに当接させ、シャープペンシル体１０およびボールペン体２０を軸筒４の後方へ弾発する構造としてある。シャープペンシル体１０の軸部材１０ａの前方には芯繰出機構部１０ｂを設けてあり、ボールペン体２０の軸部材２０ａの前方にはボールペンチップ２０ｂを設けてある。
【００１５】
図１示すように本実施例における軸筒４の後方部は、後軸３の後方部にクリップ７の基部７ａを延設してあり、クリップ７の基部７ａの上部に、蓋体８の蓋本体部８ａに延設した脚部８ｂを回動可能なヒンジ構造として保持させてある。尚、蓋本体部８ａには二つの掛止孔８ｃを設けてあり、蓋本体部８ａを閉じた状態においては、後軸３に形成した二つの掛止爪３ｅを蓋本体部８ａの掛止孔８ｃに掛止させて、図２に示す軸筒４内のコイルスプリング５ａ，５ｂに弾発されたシャープペンシル体１０と、ボールペン体２０とが飛び出さないように蓋本体部８ａで押さえてある。
【００１６】
次に、本実施例のスライド繰出式多芯筆記具における繰出操作について説明を行う。図３に示すように、摺動部材２１の突部２１ｂを前進させたボールペン体２０は、軸筒４の前軸２に設けた先端開口部２ｂから、ボールペンチップ２０ｂを突出させている。さらに詳述すると、ボールペン体２０のボールペンチップ２０ｂを前軸２の先端開口部２ｂから突出させた状態においては、摺動部材２１の後方内側に形成した係止突起２１ｃが、後軸３の内面に形成した係止受部３ｆに係止して、ボールペンチップ２０ｂが軸筒４の先端開口部２ｂから突出した状態を維持できる。尚、ボールペン体２０の軸部材２０ａは可撓性を有する樹脂パイプで形成してあり、また摺動部材２１の圧入部２１ｅがボールペン体２０の軸部材２０ａに隙間なく密嵌されていることから、ボールペンチップ２０ｂが軸筒４の先端開口部２ｂ側に向かうときには、図３に示すように、軸部材２０ａが撓むことにより摺動部材２１に対して軸部材２０ａが傾斜する構造である。
【００１７】
また図３の状態から、摺動部材１１の突部１１ｂを前方へスライドさせることで、摺動部材１１に形成した係止解除突起１１ｄにより、後軸３の係止受部３ｆに係止してある摺動部材２１の係止突起２１ｃを解除して、ボールペン体２０のボールペンチップ２０ｂを軸筒４内に没入させ、さらに摺動部材１１を前進させることにより、摺動部材１１の後端部に形成した係止突起１１ｃを後軸３の係止受部３ｆに係止させ、図４，図５に示すように、シャープペンシル体１０の先端部１０ｃを軸筒４の先端開口部２ｂから突出した状態で維持させることができる。このような出没操作は、後軸３の切欠窓３ｂ，３ｃから突出させた各摺動部材の突部をスライドさせることによって繰り返し行うことができる。尚、本実施例のシャープペンシル体１０の芯繰出機構部１０ｂは、摺動部材１１のノック操作により、軸部材１０ａを介して、芯繰出機構部１０ｂの前方を前軸２の内面に当接させて、先端部１０ｃから芯（図示せず）を繰り出す一般的なシャープペンシル機構であるため説明は省略する。
【００１８】
図６は、シャープペンシル体の軸部材と摺動部材とを分解した状態を示す要部姿図で、図７は、軸部材と摺動部材とを嵌着させた状態を示す要部姿図である。摺動部材１１の前方には、軸部材１０ａの外径Ｄ１より太く形成した円柱部１１ｅを形成してあり、円柱部１１ｅの前方には軸部材１０ａの内径Ｄ２より細く形成した延出部１１ｆを形成してある。また、延出部１１ｆの両側面には、軸心に沿った方向Ｙと軸心に向かう方向Ｚとに直交する方向Ｘへ突出させた突起部１１ｇを形成してあり、突起部１１ｇは、延出部１１ｆの側面より円弧状に突出させた小径部１１ｈと、延出部１１ｆの側面より円弧状に突出させた大径部１１ｉと、小径部１１ｈと大径部１１ｉとの境界に形成される段部１１ｊとで構成してある。尚、段部１１ｊは、延出部１１ｆの軸心に向かう方向における巾（図５におけるＺ方向の巾）の中心に形成してある。
【００１９】
尚、本実施例の突起部１１ｇは、小径部１１ｈおよび大径部１１ｉの外径を軸部材１０ａの内径より大きく形成してあり、段部１１ｊは、摺動部材１１を射出成形する分割金型のパーティションラインが段部１１ｊの位置と一致するようにしてあり、段部１１ｊに鋭いエッジ部１１ｋが形成されるようにしてある。したがって、摺動部材１１の延出部１１ｆを軸部材１０ａの開口部１０ｄに挿通させた際には、硬い高剛性ポリプロピレンで成形した軸部材１０ａであっても、段部１１ｊのエッジ１１ｋが内面１０ｅに食い込み、図８に示すように軸部材１０ａと摺動部材１１とを容易に嵌着させることができた。また、エッジ１１ｋが軸部材１０ａの内面１０ｅに食い込んでいることから、摺動部材１１と軸部材１０ａとが簡単に外れることはなかった。
【００２０】
また本実施例の摺動部材１１は、前述の通り、段部１１ｊが延出部１１ｆの軸心に向かう方向（図６におけるＺ方向）における巾の中心に位置するので、図８に示すように、軸部材１０の中心位置に突起部１１ｇの最も突出した段部１１ｊが位置して、図９に示したように、軸部材１０と摺動部材１１とを、軸筒の軸径方向（Ｚ方向）に対して巾広く揺動させることができるものとなった。尚、図９の状態は、図５に示したように、摺動部材１１を前進させてシャープペンシル体１０の先端部１０ｃを軸筒４の前軸２に設けた先端開口部２ｂから突出させた使用状態のときであるが、この状態で軸部材１０ａは曲がることなく傾斜してシャープペンシル体１０の先端部１０ｃを突出させることができ、また摺動部材１１の突部１１ｂをノック操作して、芯繰出機構部１０ｂにて芯を繰り出す際においても、軸部材１０ａが曲がることなく芯を繰り出すことができ、軸部材１０の内部に収容した芯が折れることはなかった。
【００２１】
図９では、摺動部材１１に対して軸部材１０ａが軸心方向Ｚ１方向に傾斜した状態を示しているが、軸心反対方向Ｚ２に対しても傾斜することが可能であり、それにより図１０に示すように、軸筒４からシャープペンシル体１０を着脱する際に、摺動部材１１を軸部材１０ａに対して軸心反対方向Ｚ２へ傾斜させて、軸部材１０ａを曲げることなく着脱させることができた。したがって軸部材１０ａの内部に芯（図示せず）を収容していても、軸部材１０ａを曲げないでシャープペンシル体１０の着脱が行えることから、芯が折れることはなかった。また、シャープペンシル体１０の芯繰出機構部１０ｂは、軸部材１０ａに対して後部を挿着させており、図１１に示すように、繰出機構部１０ｂを軸部材１０ａから外して替え芯５を軸部材１０ａ内に補充することができる。
【００２２】
尚、図１２は、摺動部材１１を分割金型Ｍ，Ｎで射出成形している状態を示しており、図１２Ａは樹脂を流し込んでいる状態の摺動部材１１と分割金型Ｍ，Ｎとの関係を示し、図１２Ｂは成形された摺動部材１１と分割金型Ｍ，Ｎとの関係を示している。本実施例の摺動部材１１は、図１２Ａに示すように、分割金型Ｍ，ＮのパーティションラインＰＬの位置で、摺動部材１１の突起部１１ｇのエッジ部１１ｋが形成されるようにしてあり、エッジ部１１ｋを丸みのない鋭く形成することができた。
【産業上の利用可能性】
【００２３】
本発明は、芯に色が着いており強度が弱く折れ易い色芯を使用する場合に特に好適である。
【符号の説明】
【００２４】
１…繰出式多芯筆記具、２…前軸、２ａ…雌螺子部、２ｂ…先端開口部、
３…後軸、３ａ…雄螺子部、３ｂ、３ｃ、３ｄ…切欠窓、
３ｅ…掛止爪、３ｆ…係止受部、
４…軸筒、
５ａ…コイルスプリング、５ｂ…コイルスプリング、
６…隔壁部材、６１…底面、６ａ…貫通孔、６ｂ…貫通孔、
７…クリップ、７ａ…基部、
８…蓋体、８ａ…蓋本体部、８ｂ…脚部、８ｃ…の掛止孔、
１０…シャープペンシル体、１０ａ…軸部材、１０ｂ…芯繰出機構部、
１０ｃ…先端部、１０ｄ…開口部、１０ｅ…内面、
１１…摺動部材、１１ａ…支持部、１１ｂ…突部、１１ｃ…係止突起、
１１ｄ…係止解除突起、１１ｅ…円柱部、１１ｆ…延出部、１１ｇ…突起部、
１１ｈ…小径部、１１ｉ…大径部、１１ｊ…段部、１１ｋ…エッジ部、
２０…ボールペン体、２０ａ…軸部材、２０ｂ…ボールペンチップ、
２１…摺動部材、２１ａ…支持部、２１ｂ…突部、２１ｃ…係止突起、
２１ｄ…係止解除突起、２１ｅ…圧入部、
３０…ボールペン体、３１…摺動部材、
Ｍ，Ｎ…分割金型、ＰＬ…パーティションライン。
【図１】
2014028470.tif 000003
【図２】
2014028470.tif 000004
【図３】
2014028470.tif 000005
【図４】
2014028470.tif 000006
【図５】
2014028470.tif 000007
【図６】
2014028470.tif 000008
【図７】
2014028470.tif 000009
【図８】
2014028470.tif 000010
【図９】
2014028470.tif 000011
【図１０】
2014028470.tif 000012
【図１１】
2014028470.tif 000013
【図１２】
2014028470.tif 000014